(57)【要約】【課題】より大きな起電力を得ることができるとともに、容易に設置可能な波力発電装置を提供する。【解決手段】  波力発電装置１は、発電部２と、発電部２の少なくとも一部を覆うケーシング３と、ケーシング３の周囲に配置される周壁４と、周壁４の上端４ａと発電部２とを連結する弾性体６と、周壁４の下端４ｂに取り付けられるフロート５と、を含む。ケーシング３は中空の球形であり、これを上下に貫通するように案内部材２１が配置される。ケーシング３の中空内部にコイル２５が保持されるとともに、案内部材２１の上端２１ａ及び下端２１ｂはそれぞれケーシング３の外側に位置する。フロート５にはドーム部材８をさらに設ける。ドーム部材８は、フロート５の下面に向かって開口するとともに、上面に向かってその径が小さくなるようにしている。【選択図】図１
2020139495.tif 000002
【特許請求の範囲】
【請求項１】
発電部と、前記発電部の少なくとも一部を覆うケーシングと、前記ケーシングの周囲に配置される周壁と、前記周壁の下端に取り付けられるフロートと、前記周壁の上端と前記発電部とを連結する弾性体とを含む波力発電装置であって、
前記発電部は、非磁性体である筒状の案内部材と、永久磁石を有するとともに前記案内部材内を軸方向に移動可能な可動子と、前記案内部材の両端に位置するとともに対向する前記可動子と同じ極性を有するように配置された永久磁石を有する固定子と、前記案内部材の外側に巻回されたコイルとを備え、
前記ケーシングは、前記軸方向及びこれに交差する交差方向に揺動可能であるとともに、この揺動によって前記周壁に衝突可能であることを特徴とする波力発電装置。
【請求項２】
前記フロートは、環状を有し、その内側には下面に向かって開口するとともに前記発電部に向かって径が小さくなるドーム部材を設けることを特徴とする請求項１記載の波力発電装置。
【請求項３】
前記ケーシングは、中空の球形であり、
前記可動子及び前記コイルは、前記ケーシング内に配置されることを特徴とする請求項１記載の波力発電装置。
【発明の詳細な説明】
【技術分野】
【０００１】  この発明は、波の力を利用した波力発電装置に関し、特に永久磁石とコイルを用いて起電力を発生させる波力発電装置に関する。
【背景技術】
【０００２】  従来、永久磁石とコイルを用いた波力発電装置は知られている。例えば特許文献１に記載した発電装置は、浮動体内に発電部を設けたものであって、浮動体が半没水状態になるように海底に係留される。波力発電装置は、浮動体の上下運動の振動を波に対して共振させ、浮動体の波による磁石側の振動で発電部のコイルに誘導起電力を発生させて発電するものである。特許文献２に記載した発電装置は、護岸から張り出した固定部材に固定されたコイル部と、コイル部の中空部に挿通されたシャフト部と、シャフト部の下端に接続されたフロートとを含む。フロートが波動によって上下動するとシャフト部が上下移動して電磁誘導によってコイル部に電流が流れ、電力を得ることができる。
【先行技術文献】
【特許文献】
【０００３】
【特許文献１】特開２００７−１３２３３６
【特許文献２】特開２００７−００２７７８
【発明の概要】
【発明が解決しようとする課題】
【０００４】  従来の発電装置では、波の上下動のみによって発電する構成となっており、得られる電力には限界があった。また、海底や護岸に発電装置を固定しなければならず、固定するための機構や固定する作業が煩雑になってしまうという問題があった。【０００５】  この発明は、より大きな起電力を得ることができるとともに、容易に設置可能な波力発電装置を提供することを課題とする。
【課題を解決するための手段】
【０００６】  この発明は、発電部と、前記発電部の少なくとも一部を覆うケーシングと、前記ケーシングの周囲に配置される周壁と、前記周壁の下端に取り付けられるフロートと、前記周壁の上端と前記発電部とを連結する弾性体とを含む波力発電装置であって、前記発電部は、非磁性体である筒状の案内部材と、永久磁石を有するとともに前記案内部材内を軸方向に移動可能な可動子と、前記案内部材の両端に位置するとともに対向する前記可動子と同じ極性を有するように配置された永久磁石を有する固定子と、前記案内部材の外側に巻回されたコイルとを備え、前記ケーシングは、前記軸方向及びこれに交差する交差方向に揺動可能であるとともに、この揺動によって前記周壁に衝突可能であることを特徴とする。
この発明によれば、波力によって軸方向のみならず交差方向にも揺動することによって可動子が往復運動し起電力を発生させることができ、さらにケーシングが周壁に衝突することによっても可動子が往復運動して起電力を発生させることができる。したがって、より大きな起電力を得ることができる。また、フロートによって装置を海に浮かせるだけでよいので、容易に設置可能である。【０００７】  前記フロートは、環状を有し、その内側には下面に向かって開口するとともに前記発電部に向かって径が小さくなるドーム部材を設けることを特徴とする。
ドーム部材を設けることによって、周壁内部が浸水するのを防止するとともに、案内部材が下降した際にこれを規制することができる。【０００８】  前記ケーシングは、中空の球形であり、前記可動子及び前記コイルは、前記ケーシング内に配置されることを特徴とする。
ケーシングが球形であるので、種々の角度で周壁に衝突することができる。また、ケーシングの中空に可動子及びコイルを保持することができ、これらが浸水するのを予防することができる。
【発明の効果】
【０００９】  この発明に係る波力発電装置によれば、波力による上下動だけでなく、これに交差する方向の動きも発電に用いることができ、より大きな起電力を得ることができる。また、海上に浮かせるだけでいいので、容易に設置可能な波力発電装置を提供することができる。
【図面の簡単な説明】
【００１０】
【図１】波力発電装置の斜視図。
【図２】図１の一部を切断した図。
【図３】案内部材の拡大断面図。
【発明を実施するための形態】
【００１１】＜波力発電装置１＞
図１〜図３を参照すれば、波力発電装置１は、発電部２と、発電部２の少なくとも一部を覆うケーシング３と、ケーシング３の周囲に配置される周壁４と、周壁４の上端４ａと発電部２とを連結する弾性体６と、周壁４の下端４ｂに取り付けられるフロート５と、を含む。
【００１２】＜発電部２＞
特に図３を参照すれば、発電部２は、非磁性体である筒状の案内部材２１と、永久磁石を有するとともに案内部材２１内を軸方向に移動可能な可動子２２と、案内部材２１の両端に位置するとともに対向する可動子２２に対して同じ極性を有するように配置された永久磁石を有する固定子２３，２４と、案内部材２１の外側に巻回されたコイル２５とを備える。この実施形態において、可動子２２の図面上方にＳ極、下方にＮ極を配置する。固定子２３において可動子２２のＳ極と同じ極性であるＳ極を対向させ、固定子２４において可動子２２のＮ極と同じ極性であるＮ極を対向させる。可動子２２は、静置状態においてコイル２５の内側近傍に位置するように調整する。すなわち、可動子２２と固定子２３，２４との磁力バランスによって可動子２２がコイル２５の内側近傍に位置するようにする。なお、固定子２３，２４の磁力は、可動子２２が軸方向に移動可能な程度にする。固定子２３，２４の磁力が可動子２２の軸方向の移動を過度に制限してしまうと、起電力が発生しないからである。
【００１３】＜ケーシング３＞
ケーシング３は中空の球形であり、これを上下に貫通するように案内部材２１が配置される。案内部材２１の外側と、ケーシング３とは水密に固定される。ケーシング３の中空内部にコイル２５が保持されるとともに、案内部材２１の上端２１ａ及び下端２１ｂはそれぞれケーシング３の外側に位置する。案内部材２１の上端２１ａには固定子２３が設けられ、下端２１ｂには固定子２４が設けられるから、これら固定子２３，２４はケーシング３の中空外部に位置する。
【００１４】＜弾性体６＞
案内部材２１の上端２１ａは、弾性体６によって周壁４の上端４ａに連結される。この実施形態において周壁４の上端４ａには補助フロート７をさらに設け、補助フロート７に弾性体６を取り付ける。周壁４および補助フロート７は環状を有し、より具体的には円形のドーナツ形状である。弾性体６は補助フロート７の中心を通るように点対称の位置にその両端が固定される。弾性体６としては紐状のゴムを用いることができるとともに、この実施形態では４本用いている。これら複数の弾性体６が交差した点に案内部材２１の上端２１ａを取り付ける。
【００１５】  上記のように案内部材２１に弾性体６を取り付けることによって、案内部材２１及びこれに取り付けられたケーシング３が軸方向及びこれに交差する方向に自在に揺動可能となる。また、波力発電装置１全体が波等によって揺れると、その揺れが弾性体６を介して案内部材２１に伝達され、案内部材２１及びケーシング３も揺動する。ケーシング３は周壁４に接触可能なように、その大きさが決定されるとともに、周壁４との離間寸法も決定されている。したがって、ケーシング３が揺動することによって周壁４に衝突し、衝突によってさらに案内部材２１及びケーシング３が揺動する。
【００１６】  案内部材２１が揺動することによって、その内部に保持された可動子２２が軸方向に移動する。可動子２２が軸方向に移動し、コイル２５内を往復運動することによって起電力が誘発される。この発明によれば、ケーシング３が周壁４に衝突することによって、これがない場合よりも可動子２２の往復運動を増大させることができ、より大きな起電力を誘発することができる。
【００１７】＜ドーム部材８＞
フロート５にはドーム部材８をさらに設ける。フロート５は環状であり、この実施形態では円形のドーナツ形状としている。ドーム部材８は、フロート５の下面に向かって開口するとともに、上面に向かってその径が小さくなるようにしている。すなわち、お椀をひっくり返したような形状をしている。このようなドーム部材８を設けることによって、周壁４内部が浸水するのを防止するとともに、案内部材２１が下降した際にこれを規制することができるようにしている。すなわち、案内部材２１は弾性体６によって周壁４に連結されているから、大きな波が発生した際には案内部材２１の揺動も大きくなる。この時案内部材２１の下端４ｂをドーム部材８に衝突させることによって、案内部材２１を上方に反発移動させることができ、その内部の可動子２２をより激しく往復運動させることができ、起電力を増大させることができる。
【００１８】  ドーム部材８は、フロートの上面に向かってその径が小さくなるようにしているから、ドーム部材８内部に侵入した波のエネルギーは上面に行くにしたがって大きくなり、より一層波力発電装置１を振動させることができる。
【００１９】  この実施形態における波力発電装置１は、フロート５によって海洋に浮かせるだけでよいので、装置を海底や護岸に固定するための特別な装置が不要である。また、固定しないので持ち運びが可能で、設置場所を容易に変更することができる。さらに、海洋に浮かせることによって、装置１には横揺れだけでなく波による縦揺れも発電部２に伝達することができ、より効率的に発電することができる。
【００２０】  波力発電装置１の周壁４は、連続的な壁でもよいし、間欠的な柵のような形状でもよい。間欠的な形状にした場合には、これら周壁４の間を風が吹き抜けることができ、風によってもケーシング３を揺動することができ、起電力を発生させることができる。この実施形態において、周壁４は、上端４ａから下端４ｂに向かってその周長が大きくなるようにしているが、これに限定されるものではない。
【００２１】  発電部２は、ひとつであっても２以上の複数であってもよい。複数の発電部２を設ける場合、複数の案内部材２１が交差するように配置することもできる。このように配置することで、上下の縦揺れだけでなく、種々の方向の揺れによってより効率的に起電力を発生させることができる。
【符号の説明】
【００２２】  １      波力発電装置
２      発電部
３      ケーシング
４      周壁
４ａ    上端
４ｂ    下端
５      フロート
６      弾性体
７      補助フロート
８      ドーム部材
２１      案内部材
２１ａ    上端
２１ｂ    下端
２２      可動子
２３      固定子
２４      固定子
２５      コイル
【図１】
2020139495.tif 000003
【図２】
2020139495.tif 000004
【図３】
2020139495.tif 000005